(57)【要約】【課題】  優れた吐出安定性を有するインク組成物提供する。【解決手段】水性インク組成物を、着色剤と、水と、有機溶媒と、以下の一般式（１）で表される化合物と、【化１】2006257184.tif 000006  （ただし、上記式において、ｍ及びｎはそれぞれ１〜５の整数を表す。）  五炭糖の還元アミノ化合物及び／又はその誘導体と、を含有するようにする。このインク組成物によれば、優れた吐出安定性をインク組成物に与えることができる。【選択図】      なし【特許請求の範囲】
【請求項１】
水性インク組成物であって、
着色剤と、
水と、
有機溶媒と、
以下の一般式（１）で表される化合物と、
【化１】
2006257184.tif 000005
（ただし、上記式において、ｍ及びｎはそれぞれ１〜５の整数を表す。）
五炭糖の還元アミノ化合物及び／又はその誘導体と、
を含有する、組成物。
【請求項２】
前記着色剤は、染料及び顔料分散体から選択される１種あるいは２種以上である、請求項１に記載の組成物。
【請求項３】
前記五炭糖の還元アミノ化合物は、アラビナミン、リバミン、Ｎ−メチルアラビナミン、及びＮ−メチルリバミンからなる群から選択される１種あるいは２種以上である、請求項１又は２に記載の組成物。
【請求項４】
前記一般式（１）で表される化合物は、１，１，１−トリメチロールプロパンである、請求項１〜３のいずれかに記載の組成物。
【請求項５】
前記一般式（１）で表される化合物と前記五炭糖の還元アミノ化合物及び／又はその誘導体との総量が、前記インク組成物の全量に対して０．１ｗｔ％以上３０ｗｔ％以下である、請求項１〜４のいずれかに記載の組成物。
【請求項６】
前記一般式（１）で表される化合物１０００重量部に対して前記五炭糖の還元アミノ化合物及び／又はその誘導体を５重量部以上２０００重量部以下含有する、請求項１〜５のいずれかに記載の組成物。
【請求項７】
インクジェット記録用である、請求項１〜６のいずれかに記載の組成物。
【請求項８】
インクジェット記録方法であって、
請求項１〜７のいずれかに記載の水性インク組成物をインクジェット記録方式により記録媒体表面に付与する工程、
を備える、方法。
【請求項９】
インクジェット記録物であって、
記録媒体表面に請求項１〜７のいずれかに記載の水性インク組成物からなるインクジェット記録方式によるドットパターンを有する、記録物。
【発明の詳細な説明】
【技術分野】
【０００１】
本発明は、水性インク組成物、インクジェット記録方法及びインクジェット記録物に関する。
【背景技術】
【０００２】
近年、インクジェット記録装置等の記録装置に適用されるインク組成物等は、水性タイプが主流となってきている。このような水性インク組成物については、プリンタヘッドのノズルから安定してインク組成物が吐出されること（吐出安定性を有する）が重要な要素となっている。吐出安定性を確保するには、インク成分の分散形態及び粘度等が維持される必要がある。そこで、従来より、水性分散系を安定化するために糖類を含む多価アルコールなど保水性に優れる化合物が湿潤剤としてインク組成物に添加されている。このようなインク組成物用の湿潤剤としては、一般的に、糖類としては、各種の単糖類、二糖類のほかこれらの誘導体が知られており（特許文献１）、糖類以外の多価アルコールとしては、トリメチロールプロパンがよく知られている（特許文献２）。
【０００３】
【特許文献１】特開２００１−２３４０９８号公報
【特許文献２】特開平３−１５２１７１号公報
【発明の開示】
【発明が解決しようとする課題】
【０００４】
しかしながら、インク組成物においては、近年の高画質化の要請に応えるために一層優れた吐出安定性が求められるようになってきている。これまで、各種の湿潤剤が知られているものの、糖類とそれ以外の多価アルコールなどの異種の湿潤剤を組み合わせること自体試みられておらず、したがって、これらの組み合わせによって相乗的に高い吐出安定性が得られるということは全く知られていなかった。
【０００５】
そこで、本発明は、優れた吐出安定性を有する水性インク組成物、インクジェット記録方法及びインクジェット記録物を提供することを目的とする。
【課題を解決するための手段】
【０００６】
本発明者は、各種の糖類及びその誘導体について検討したところ、五炭糖の還元アミノ化合物及び／又はその誘導体とある種の多価アルコールとを組み合わせることで目詰り信頼性を飛躍的に向上でき、優れた吐出安定性をインク組成物に与えることができるという知見を得て、本発明を完成した。すなわち、本発明によれば以下の手段が提供される。この水性インク組成物は、インクジェット記録用であることが好ましい形態である。
【０００７】
本発明によれば、水性インク組成物であって、着色剤と、水と、有機溶媒と、以下の一般式（１）で表される化合物と、
【化１】
2006257184.tif 000002
（ただし、上記式において、ｍ及びｎはそれぞれ１〜５の整数を表す。）
五炭糖の還元アミノ化合物及び／又はその誘導体と、を含有する、組成物が提供される。また、前記着色剤は、染料及び顔料分散体から選択される１種あるいは２種以上である、上記組成物も提供される。さらに、前記五炭糖の還元アミノ化合物は、アラビナミン、リバミン、Ｎ−メチルアラビナミン、及びＮ−メチルリバミンからなる群から選択される１種あるいは２種以上である、上記組成物も提供される。さらにまた、前記一般式（１）で表される化合物は、１，１，１−トリメチロールプロパンである、上記いずれかの組成物も提供される。
【０００８】
また、前記一般式（１）で表される化合物と前記五炭糖の還元アミノ化合物及び／又はその誘導体との総量が、前記インク組成物の全量に対して０．１ｗｔ％以上３０ｗｔ％以下である、上記いずれかの組成物も提供される。さらに、前記一般式（１）で表される化合物１０００重量部に対して前記五炭糖の還元アミノ化合物及び／又はその誘導体を５重量部以上２０００重量部以下含有する、上記いずれかの組成物も提供される。
【０００９】
本発明によれば、インクジェット記録方法であって、上記いずれかの水性インク組成物をインクジェット記録方式により記録媒体表面に付与する工程、を備える、方法が提供され、また、インクジェット記録物であって、記録媒体表面に上記いずれかに記載の水性インク組成物からなるインクジェット記録方式によるドットパターンを有する、記録物も提供される。
【発明を実施するための最良の形態】
【００１０】
本発明のインク組成物は、着色剤と、水と、有機溶媒と、前記一般式（１）で表されるトリアルカノールアルカンと、五炭糖の還元アミノ化合物及び／又はその誘導体と、を含有している。以下、本発明のインク組成物の必須成分について説明し、次いで他の成分について説明するとともに、本発明のインク組成物を用いる本発明のインクジェット記録方法、及びインクジェット記録物について説明する。なお、以下、本明細書においては、特に断りのない限り「％」はｗｔ（重量）％を、「部」は重量部を、「比」とは重量比を意味するものとする。
【００１１】
（水性インク組成物）
（着色剤）
本発明のインク組成物には、染料あるいは顔料を着色剤として含むことができる。本発明において用いられる染料は、水に不溶もしくは難溶の染料が好ましく用いられる。本発明の着色剤においては、特に具体的には、例えば、油溶性染料、塩基性染料、分散染料、建染染料、硫化染料、有機溶剤溶解染料、反応染料などが挙げられる。
【００１２】
顔料は、特に限定されず、無機顔料及び有機顔料のいずれも使用することができる。無機顔料としては、銅酸化物，鉄酸化物，酸化チタン等の金属類、ファーネスブラック，ランプブラック，アセチレンブラック，チャンネルブラック等のカーボンブラック類等が使用できる。また、有機顔料としては、アゾ顔料（アゾレーキ、不溶性アゾ顔料、縮合アゾ顔料、キレートアゾ顔料などを含む。）、多環式顔料（フタロシアニン顔料、ペリレン顔料、ペリノン顔料、アントラキノン顔料、キナクリドン顔料、ジオキサン顔料、チオインジゴ顔料、イソインドリノン顔料、キノフラノン顔料など）、染料キレート（塩基性染料型キレート、酸性染料型キレートなど）、ニトロ顔料、ニトロソ顔料、アニリンブラックなどが使用できる。
【００１３】
黒インク用の顔料としては、鉄酸化物であるＣ．Ｉ．ピグメントブラック１１を、カーボンブラックであるＣ．Ｉ．ピグメントブラック７を、アニリンブラックであるＣ．Ｉ．ピグメントブラック１をそれぞれ挙げることができ、更に詳しくは、以下のカーボンブラックが例示される。すなわち、三菱化学製のＮｏ．２３００，Ｎｏ．９００，ＭＣＦ８８，Ｎｏ．３３，Ｎｏ．４０，Ｎｏ．４５，Ｎｏ．５２，ＭＡ７，ＭＡ８，ＭＡ１００，Ｎｏ２２００Ｂ等が、コロンビア社製のＲａｖｅｎ５７５０，Ｒａｖｅｎ５２５０，Ｒａｖｅｎ５０００，Ｒａｖｅｎ３５００，Ｒａｖｅｎ１２５５，Ｒａｖｅｎ７００等が、キャボット社製のＲｅｇａｌ  ４００Ｒ，Ｒｅｇａｌ  ３３０Ｒ，Ｒｅｇａｌ  １６６０Ｒ，Ｍｏｇｕｌ  Ｌ，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００等が、デグッサ社製のＣｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  ＦＷ１８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ  ３５，Ｐｒｉｎｔｅｘ  Ｕ，Ｐｒｉｎｔｅｘ  Ｖ，Ｐｒｉｎｔｅｘ  １４０Ｕ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ  ４等が使用できる。
【００１４】
イエローインクに使用される顔料としては、Ｃ．Ｉ．ピグメントイエロー１（ファストイエローＧ）、２、３、１２（ジスアゾイエローＡＡＡ）、１３、１４、１６、１７、２４、３４、３５、３７、４２（黄色酸化鉄）、５３、５５、７３、７４、７５、８１、８３（ジスアゾイエローＨＲ）、９３、９５、９７、９８、１００、１０１、１０４、１０８、１０９、１１０、１１４、１１７、１２０、１２８、１２９、１３８、１５１、１５３、１５４、マゼンタインクに使用される顔料としては、Ｃ．Ｉ．ピグメントレッド１、２、３、５、７、１２、１７、２２（ブリリアントファーストスカーレット）、２３、３１、３８、４８（Ｃａ）、４８（Ｍｎ）、４８：２（パーマネントレッド２Ｂ（Ｂａ））、４８：２（パーマネントレッド２Ｂ（Ｃａ））、４８：３（パーマネントレッド２Ｂ（Ｓｒ））、４８：４（パーマネントレッド２Ｂ（Ｍｎ））、４９：１、５２：２、５３：１、５７（Ｃａ）、５７：１（ブリリアントカーミン６Ｂ）、６０：１、６３：１、６３：２、６４：１、８１（ローダミン６Ｇレーキ）、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８４、１８５、１９０、１９３、２０２、２０９、２１９、Ｃ．Ｉ．ピグメントバイオレット１９、シアンインクに使用される顔料としては、Ｃ．Ｉ．ピグメントブルー１、２、３、１５（フタロシアニンブルーＲ）、１５：１、１５：２、１５：３（フタロシアニンブルーＧ）、１５：４、１５：６（フタロシアニンブルーＥ）、１５：３４、１６、１７：１、２２、５６、６０、６３、Ｃ．Ｉ．Ｖａｔ  Ｂｌｕｅ  ４、Ｃ．Ｉ．Ｖａｔ  Ｂｌｕｅ  ６０、グリーンインクに使用される顔料としては、Ｃ．Ｉ．ピグメントグリーン１、４、７、８、１０、１７、１８、３６、等を挙げることができる。また、顔料の粒経は好ましくは０．５μｍ以下の粒子からなる顔料を、より好ましくは０．０１〜０．１５μｍの粒子からなる顔料が好ましい。顔料の種類はこれらに限定されるものではない。インク組成物におけるこれらの顔料の含有量は、１〜８％の範囲が好ましく、より好ましくは２〜８％の範囲である。
【００１５】
分散安定性を得るため、樹脂あるいは分散剤を使わずに、自己分散型顔料の形でもよい。この場合、計画的に顔料の表面へ電荷を有している官能基の十分な数を導入する。官能基の例として、カルボン酸基、スルホン酸基、プロトン化したアミノ基等が挙げられる。
【００１６】
これらの染料及び顔料は、当該顔料が樹脂によって被覆された状態でインク組成物に含まれていてもよい。この場合、顔料を被覆する樹脂は、ポリアクリル酸エステル、スチレン−アクリル酸共重合体、ポリスチレン等のビニル樹脂（ビニル系重合体）、ポリエステル、ポリアミド、ポリイミド、含珪素樹脂および含硫黄樹脂からなる群から選ばれた１種以上を主成分とするのが好ましい。これにより、樹脂が安定に顔料を被覆できることから、前掲の樹脂で被覆した顔料を用いることによって、安定な吐出が得られ、良好な画像を得ることができる。なお、顔料が樹脂によって被覆されている形態は、顔料分散体の好ましい形態である。
【００１７】
かかる樹脂としては、二重結合としてアクリロイル基，メタクリロイル基，ビニル基あるいはアリル基を有するモノマーやオリゴマー類が、重合開始剤を使用する公知の重合法に従って、重合されたものを好適に用いることができる。ここで、モノマーとしては、例えば、スチレン、テトラヒドロフルフリルアクリレート、ブチルメタクリレート、（α、２、３または４）−アルキルスチレン、（α、２、３または４）−アルコキシスチレン、３，４−ジメチルスチレン、α−フェニルスチレン、ジビニルベンゼン、ビニルナフタレン、ジメチルアミノ（メタ）アクリレート、ジメチルアミノエチル（メタ）アクリレート、ジメチルアミノプロピルアクリルアミド、Ｎ，Ｎ−ジメチルアミノエチルアクリレート、アクリロイルモルフォリン、Ｎ，Ｎ−ジメチルアクリルアミド、Ｎ−イソプロピルアクリルアミド、Ｎ，Ｎ−ジエチルアクリルアミド、メチル（メタ）アクリレート、エチル（メタ）アクリレート、プロピル（メタ）アクリレート、エチルヘキシル（メタ）アクリレート、オクチル（メタ）アクリレート、デシル（メタ）アクリレート、ドデシル（メタ）アクリレート、その他のアルキル（メタ）アクリレート、メトキシジエチレングリコール（メタ）アクリレート、エトキシ基，プロポキシ基，ブトキシ基のジエチレングリコールまたはポリエチレングリコールの（メタ）アクリレート、シクロヘキシル（メタ）アクリレート、ベンジル（メタ）アクリレート、フェノキシエチル（メタ）アクリレート、イソボニル（メタ）アクリレート、ヒドロキシアルキル（メタ）アクリレート、含フッ素，含塩素または含珪素（メタ）アクリレート、（メタ）アクリルアミド、マレイン酸アミド、（メタ）アクリル酸等の１官能基性モノマーを用いることができる。また、樹脂に架橋構造を導入する場合は（モノ、ジ、トリ、テトラ、ポリ）エチレングリコールジ（メタ）アクリレート、１，４−ブタンジオール、１，５−ペンタンジオール、１，６−ヘキサンジオール、１，８−オクタンジオールおよび１，１０−デカンジオール等の（メタ）アクリレート、トリメチロールプロパントリ（メタ）アクリレート、グリセリン（ジ、トリ）（メタ）アクリレート、ビスフェノールＡまたはビスフェノールＦのエチレンオキシド付加物のジ（メタ）アクリレート、ネオペンチルグリコールジ（メタ）アクリレート、ペンタエリスリトールテトラ（メタ）アクリレート、ジペンタエリスリトールヘキサ（メタ）アクリレート等のアクリル基やメタクリル基を有する化合物を用いることができる。
【００１８】
重合開始剤は、過硫酸カリウムや過硫酸アンモニウムの他に、過硫酸水素やアゾビスイソブチロニトリル、過酸化ベンゾイル、過酸化ジブチル、過酢酸、クメンヒドロパーオキシド、ｔ−ブチルヒドロキシパーオキシド、パラメンタンヒドロキシパーオキシドなどラジカル重合に用いられる一般的な開始剤を用いることができるが、水溶性の重合開始剤が好ましく用いられる。
【００１９】
このような樹脂によって顔料を被覆する方法としては、先ず、転相乳化法、酸折法、強制乳化法を挙げることができる。転相乳化法の具体例としては、一部の酸基が塩基で中和された自己水分散性樹脂（自己水分散性樹脂）を有機溶媒に溶解し、この溶液に顔料を分散または溶解して得た着色樹脂溶液と、水を必須成分とする水性媒体とを混合することによって転相乳化を行う方法が知られている。転相乳化時において上記樹脂で顔料を被覆した顔料の粒子が発生するので、引き続き、有機溶媒を水性媒体より除去することによって、樹脂で被覆されてなる顔料を好適に得ることができる。ここで、自己水分散性樹脂としては、酸価が２０〜２００ＫＯＨｇ／ｇのスチレン、置換スチレン、（メタ）アクリル酸エステルからなる群から選ばれる少なくとも一つのモノマーと（メタ）アクリル酸との共重合体を好ましく用いることができる。
【００２０】
（第１の湿潤剤：トリアルカノールアルカン）
第１の湿潤剤としては、下記の一般式（１）で表される化合物（トリアルカノールアルカン）を用いる。
【００２１】
【化２】
2006257184.tif 000003
（ただし、上記式において、ｍ及びｎはそれぞれ１〜５の整数を表す。）
【００２２】
このような化合物は、インク組成物の保湿性及び湿潤性を確保する。当該化合物は、１，１，１−トリメチロールプロパン（２−エチル−２−（ヒドロキシエチル）−１，２−プロパンジオール）、１，１，１−トリメチロールエタン、１，１，２−トリメチロールプロパン、１，１，２−トリメチロールエタン等を挙げることができる。これらの１種あるいは２種以上を用いることができるが、１，１，１−トリメチロールプロパンを用いることが好ましい。
【００２３】
（第２の湿潤剤：五炭糖の還元アミノ化合物及び／又はその誘導体）
第２の湿潤剤としては、五炭糖の還元アミノ化合物及び／又はその誘導体を挙げることができる。上記第１の湿潤剤と当該第２の湿潤剤とを用いることで、双方の保水効果の相乗作用により水分の蒸発抑制効果を飛躍的に高め、ヘッドのノズル先端部における粘度上昇や固化を有効に防止し、インクの目詰りを抑制できる（目詰まり信頼性を向上できる）。この結果、本インク組成物は、長期にわたって良好な吐出安定性を確保することができる。五炭糖の還元アミノ化合物の五炭糖の元としては、アラビノース、リボース、キシロース、リキソース等を挙げることができる。還元アミノ化合物のアミノ基の元として、アンモニア、メチルアミン、エチルアミン等を挙げることができる。五炭糖の還元アミノ化合物としては、アラビナミン（アラビノースとアンモニアからの還元アミノ化合物）、Ｎ−メチルアラビナミン（アラビノースとメチルアミンからの還元アミノ化合物）、Ｎ−エチルアラビナミン（アラビノースとエチルアミンからの還元アミノ化合物）、リバミン（リボースとアンモニアからの還元アミノ化合物）、Ｎ−メチルリバミン（リボースとメチルアミンからの還元アミノ化合物）、Ｎ−エチルリバミン（リボースとエチルアミンからの還元アミノ化合物）、キシラミン（キシロースとアンモニアからの還元アミノ化合物）、Ｎ−メチルキシラミン（キシロースとメチルアミンからの還元アミノ化合物）、Ｎ−エチルキシラミン（キシロースとエチルアミンからの還元アミノ化合物）、リキサミン（リキソースとアンモニアからの還元アミノ化合物）、Ｎ−メチルリキサミン（リキソースとメチルアミンからの還元アミノ化合物）、Ｎ−エチルリキサミン（リキソースとエチルアミンからの還元アミノ化合物）等をあげることができる。好ましくは、アラビナミン、リバミン、Ｎ−メチルアラビナミン、及びＮ−メチルリバミンである。さらに好ましくはアラビナミン及びリバミンである。なお、五炭糖の還元アミノ化合物及び／又はその誘導体は、無水物であっても水和物であってもよい。五炭糖の還元アミノ化合物及び／又はその誘導体としては、１個あるいは複数のヒドロキシル基の水素原子に替えて１個あるいは複数のポリエチレンオキサイド基等を導入した誘導体等を挙げることができる。五炭糖の還元アミノ化合物及び／又はその誘導体としては、これらのうち１種あるいは２種以上を組み合わせて用いることができる。理論的に拘束されることを意図するものではないが、五炭糖の還元アミノ化合物及び／又はその誘導体の湿潤作用ないし目詰まり防止作用は、その構造に起因しているものと考えられる。これは、水に対して高い親和性を有する柔軟な非環状のアミノ化多価アルコールで構成されている。水溶液中、五炭糖の還元アミノ化合物及び／又はその誘導体のアミノ基及び複数のヒドロキシル基は、水との複数の水素結合によって、優れている保湿性を有することが推測される。
【００２４】
１，１，１−トリメチロールプロパンなどの第１の湿潤剤とアラビナミンなどの第２の湿潤剤とは、インク組成物全体に対して０．１％以上３０％以下で含まれていることが好ましい。０．１％未満であると目詰まり防止の効果が不十分であり、３０％を超えるとインクの粘度が増す傾向にあるからである。より好ましくは、０．５％以上１５％以下である。また、アラビナミンなどの第２の湿潤剤は、第１の湿潤剤１０００部に対して５部以上２０００部以下であることが好ましい。５部未満であると目詰まり防止効果が不十分であり、２０００部を超えても目詰まり防止効果が不十分となるからである。より好ましくは、第１の湿潤剤１０００部に対して第２の湿潤剤が５０部以上１１００部以下である。理論的に拘束されることを意図するものではないが、本発明における１，１，１−トリメチロールプロパンなどの第１の湿潤剤とアラビナミンなどの第２の湿潤剤との相乗作用は、以下に説明するようにこれらの構造に起因すると思われる。既に述べたように、五炭糖の還元アミノ化合物及び／又はその誘導体にあっては、柔軟な非環状のアミノ化多価アルコールである。１，１，１−トリアルカノールアルカンは、五炭糖の還元アミノ化合物及び／又はその誘導体と同様に柔軟な非環状多価アルコールであるが、半分が疎水性のアルカン部分であり、もう半分が親水性の多価アルコール部分である。五炭糖の還元アミノ化合物及び／又はその誘導体とトリアルカノールアルカンとが存在する場合には、既に述べた水と五炭糖の還元アミノ化合物及び／又はその誘導体との親和性に加えて、構造の面で、五炭糖の還元アミノ化合物及び／又はその誘導体がトリアルカノールアルカンに類似していることによって、乾燥により結晶化が抑制されると思われる。両方の保湿剤が結晶化し難いことによって、低水分状態でも、インクの流動性が保ち、ヘッドのノズル先端部でもインクの目詰まりを抑制すること推測される。
【００２５】
（その他の湿潤剤）
本インク組成物においては、上記湿潤剤の他、本発明の目的を妨げない範囲で他の湿潤剤も含めることができる。その他の湿潤剤としては、糖類、糖アルコール類（上記第２の湿潤剤を除く）、ヒアルロン酸塩、１，２，６−ヘキサントリオール等である。糖類の例としては、単糖類、二糖類、オリゴ糖類（三糖類および四糖類を含む）および多糖類があげられ、好ましくはグルコース、マンノース、フルクトース、リボース、キシロース、アラビノース、ガラクトース、アルドン酸、グルシトール、（ソルビット）、マルトース、セロビオース、ラクトース、スクロース、トレハロース、マルトトリオースなどがあげられる。また、これらの糖類の誘導体としては、前記した糖類の還元糖（例えば、糖アルコール（一般式ＨＯＣＨ2（ＣＨＯＨ）nＣＨ2ＯＨ（ここで、ｎ＝２〜５の整数を表す）で表される）、酸化糖（例えば、アルドン酸、ウロン酸など）、アミノ酸、チオ糖など）があげられる。ヒアルロン酸塩は、ヒアルロン酸ナトリウム１％水溶液（分子量３５００００）として市販されているものを使用することができる。
【００２６】
（有機溶媒）
本インク組成物には、水の他、各種の有機溶媒を含有している。例えば、水溶性で保水効果のある以下の水溶性有機溶媒を添加することが好ましく、その例としては、グリセリン、エチレングリコール、ジエチレングリコール、トリエチレングリコール、分子量２０００以下のポリエチレングリコール、プロピレングリコール、ジプロピレングリコール、トリプロピレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトールなどがある。本発明においては、特に、グリセリン、トリエチレングリコール、ジエチレングリコール、分子量２０００以下のポリエチレングリコールが好ましく用いられる。
【００２７】
本インク組成物においては、特に、グリセリンを含有するのが好ましく、これにより、特に、プリンタヘッド内のインクの流動性を向上する。グリセリンは、インクの全重量に対して、３％以上２０％以下の範囲内で含有されるのが好ましい。３％未満であると、プリンタヘッド内のインクの流動性が悪くなる。また、２０％を超えると、インクの粘度が増す傾向となる。
【００２８】
本インク組成物においては、特に、トリエチレングリコールを含有するのが好ましい。これにより、特に、プリンタヘッド内のインクの流動性を向上することができる。トリエチレングリコールは、インク組成物の全量に対して３％以上２０％以下で含まれていることが好ましい。３％未満であるとプリンタヘッド内のリインクの流動性が悪くなり、２０％を超えるとインクの粘度が増す傾向にあるからである。
【００２９】
本インク組成物は、グリコールエーテル類若しくは１，２−アルカンジオールまたはこれらの組合せ、を含有するのが好ましく、これにより、普通紙やインクジェット記録用紙やインクジェット記録用シート等の記録媒体に印刷した際に、インクの水性媒体が記録媒体内部へ浸透しやすくなるため、水性媒体と顔料被覆粒子との分離が短時間に起こり、記録媒体上で本発明のマイクロカプセル化顔料が水性媒体とともに広がっていくことがなく滲みや印字斑が低減されるので、良好な印字品質が得られる。
【００３０】
グリコールエーテル類としては、ジエチレングリコールモノ（炭素数１〜８のアルキル）エーテル、トリエチレングリコールモノ（炭素数１〜８のアルキル）エーテル、プロピレングリコールモノ（炭素数１〜６のアルキル）エーテル、ジプロピレングリコールモノ（炭素数１〜６のアルキル）エーテルを挙げることができ、これらを１種または２種以上の混合物として使用できる。
【００３１】
具体的には、エチレングリコールモノメチルエーテル、エチレングリコールモノエチルエーテル、エチレングリコールモノ−ｉｓｏ−プロピルエーテル、エチレングリコールモノブチルエーテル、エチレングリコールモノ−ｔ−ブチルエーテル、エチレングリコールモノメチルエーテルアセテート、ジエチレングリコールモノメチルエーテル（ＤＥＧｍＭＥ）、ジエチレングリコールモノエチルエーテル（ＤＥＧｍＥＥ）、ジエチレングリコールモノプロピルエーテル（ＤＥＧｍＰＥ）、ジエチレングリコールモノ−ｉｓｏ−プロピルエーテル、ジエチレングリコールモノブチルエーテル（ＤＥＧｍＢＥ）、ジエチレングリコールモノ−ｔ−ブチルエーテル、ジエチレングリコールモノペンチルエーテル（ＤＥＧｍＰｅＥ）、ジエチレングリコールモノヘキシルエーテル（ＤＥＧｍＨＥ）、ジエチレングリコールモノヘプチルエーテル（ＤＥＧｍＨｐＥ）、ジエチレングリコールモノオクチルチルエーテル（ＤＥＧｍＯＥ）、トリエチレングリコールモノメチルエーテル（ＴＥＧｍＭＥ）、トリエチレングリコールモノエチルエーテル（ＴＥＧｍＥＥ）、トリエチレングリコールモノプロピルエーテル（ＴＥＧｍＰＥ）、トリエチレングリコールモノブチルエーテル（ＴＥＧｍＢＥ）、トリエチレングリコールモノペンチルエーテル（ＴＥＧｍＰｅＥ）、トリエチレングリコールモノヘキシルエーテル（ＴＥＧｍＨＥ）、トリエチレングリコールモノヘプチルエーテル（ＴＥＧｍＨｐＥ）、トリエチレングリコールモノオクチルチルエーテル（ＴＲＧｍＯＥ）、プロピレングリコールモノメチルエーテル（ＰＧｍＭＥ）、プロピレングリコールモノエチルエーテル（ＰＧｍＥＥ）、プロピレングリコールモノプロピルエーテル（ＰＧｍＰＥ）、プロピレングリコールモノ−ｉｓｏ−プロピルエーテル、プロピレングリコールモノブチルエーテル（ＰＧｍＢＥ）、プロピレングリコールモノ−ｔ−ブチルエーテル、プロピレングリコールモノペンチルエーテル（ＰＧｍＰｅＥ）、プロピレングリコールモノヘキシルエーテル（ＰＧｍＨＥ）、ジプロピレングリコールモノメチルエーテル（ＤＰＧｍＭＥ）、ジプロピレングリコールモノエチルエーテル（ＤＰＧｍＥＥ）、ジプロピレングリコールモノプロピルエーテル（ＤＰＧｍＰＥ）、ジプロピレングリコールモノ−ｉｓｏ−プロピルエーテル、ジプロピレングリコールモノブチルエーテル（ＤＰＧｍＢＥ）、ジプロピレングリコールモノペンチルエーテル（ＤＰＧｍＰｅＥ）、ジプロピレングリコールモノヘキシルエーテル（ＤＰＧｍＨＥ）などを挙げることができるが、アルキル基が大きくなると疎水性が高くなるのでメチル、エチル、プロピル、ブチルが普通紙での印字品質を良好にするためには好適である。
【００３２】
特に、グリコールエーテル類は、ジエチレングリコールモノブチルエーテル、トリエチレングリコールモノブチルエーテルであることが好ましい。ジエチレングリコールモノブチルエーテルおよび／またはトリエチレングリコールモノブチルエーテルは、インク組成物の全量に対して０．５％以上１０％以下で含まれていることが好ましい。上記含有量の範囲において良好な浸透性を示す。１０％を超えると粘度が増す傾向にあるため好ましくない。
【００３３】
なお、本インク組成物が、後述するアセチレングリコール系界面活性剤およびアセチレンアルコール系界面活性剤からなる群から選択された１種以上の化合物を０．５重量％以上含有するときには、印字品質の観点から、該化合物とジエチレングリコールモノブチルエーテルおよび／またはトリエチレングリコールモノブチルエーテルとの重量比が１：０超１：１０以下とするのが好ましい。ジ（トリ）エチレングリコールモノブチルエーテルは、アセチレングリコール系界面活性剤の溶解性を向上させること，および印字品質の向上に役立つが、１０倍を超える添加量ではそれらの効果が頭打ちになる傾向があるからである。
【００３４】
１，２−アルカンジオールは、その炭素数が４〜１０の１，２−アルカンジオールの利用が好ましい。１，２−アルカンジオールは、二種以上を混合して添加してもよい。本発明の好ましい態様において、１，２−アルカンジオールは、１，２−ブタンジオール、１，２−ペンタンジオール、１，２−ヘキサンジオール及び１，２−ヘプタンジオールを挙げることができる。これらは、記録媒体への浸透性に優れている点でより好ましい。本発明のより好ましい態様において、１，２−アルカンジオールは、１，２−ヘキサンジオール、または１，２−ペンタンジオールであるのが好ましく、さらに好ましくは、１，２−ヘキサンジオールである。
【００３５】
１，２−アルカンジオールは、インク組成物全量に対して２０％以下含有されるのが好ましい。２０％を超えると浸透性の向上が頭打ちとなり、印字品質の向上の効果が低くなる傾向となるだけでなく、逆に粘度上昇の弊害が生じやすくなる傾向となる。より好ましくは、インク組成物全量に対して０．５％〜１５％の範囲で含まれていることが好ましい。０．５％以上であれば充分な浸透性を得ることができ、また、１５％以下であれば他の添加剤と合わせて印字可能なインク粘度に調整しやすくなるので、有利である。さらに好ましくは、１％〜５％の範囲で含まれている。
【００３６】
本インク組成物において、溶解助剤としては、１，３−ジメチル−２イミダゾリジン、Ｎ−メチル−２−ピロリドン、２−ピロリドン等が用いられる。溶解助剤は、後述するアセチレンアルコール系界面活性剤を使用する際に好ましく用いられる。特に、２−ピロリドンを用いることが好ましい２−ピロリドンなどの溶解助剤は、インク組成物全量に対して０．５％以上１０％以下であることが好ましい。０．５％未満であると溶解助剤の効果が不十分であり、１０％を超えるとインクの粘度が増す傾向にあるからである。
【００３７】
その他、インク成分の溶解性を向上させ、さらに記録媒体たとえば紙に対する浸透性を向上させ、あるいはノズルの目詰まりを防止する成分として、エタノール、メタノール、ブタノール、プロパノール、イソプロパノールなどの炭素数１から４のアルキルアルコール類、ホルムアミド、アセトアミド、ジメチルスルホキシド、ソルビット、ソルビタン、アセチン、ジアセチン、トリアセチン、スルホランなどが挙げられ、これらを適宜選択して使用することができる。
【００３８】
（分散剤）
本インク組成物が顔料を含む場合、顔料は、樹脂によって被覆されたインク組成物中に分散されている他、他の高分子分散剤によって分散されていてもよい。この形態においても顔料分散体の形態を採るということができる。高分子分散剤としては、例えば、ポリビニルアルコール類、ポリビニルピロリドン類、ポリアクリル酸、アクリル酸−アクリルニトリル共重合体、アクリル酸カリウム−アクリルニトリル共重合体、酢酸ビニル−アクリル酸エステル共重合体、アクリル酸−アクリル酸エステル共重合体などのアクリル系樹脂、スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体などのスチレン−アクリル樹脂、スチレン−マレイン酸共重合体、スチレン−無水マレイン酸共重合体、ビニルナフタレン−アクリル酸共重合体、ビニルナフタレン−マレイン酸共重合体、及び酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体などの酢酸ビニル系共重合体及びそれらの塩を挙げることができる。好ましくは、ポリビニルピロリドン類、ポリアクリル酸、アクリル酸−アクリルニトリル共重合体、アクリル酸カリウム−アクリルニトリル共重合体、酢酸ビニル−アクリル酸エステル共重合体、アクリル酸−アクリル酸エステル共重合体などのアクリル系樹脂を用いる。これらの分散剤の添加量は、顔料に対して１〜５０重量％程度が好ましく、より好ましくは２〜３０重量％の範囲である。
【００３９】
また、インク組成物には、ポリマー微粒子を含んでいてもよい。ポリマー微粒子を構成する樹脂成分の具体例としては、アクリル系樹脂、酢酸ビニル系樹脂、スチレン−ブタジエン系樹脂、塩化ビニル系樹脂、アクリル−スチレン系樹脂、ブタジエン樹脂、スチレン系樹脂、シリコーン樹脂、ウレタン系樹脂、ポリエステル系樹脂、ポリアミド系樹脂、またはこれらの混合物が挙げられる。また、これらの樹脂は、重合、共重合の態様によっては制限されず、例えばブロックコポリマー、ランダムコポリマーなどの形態で存在するものであっても良い。ポリマー微粒子は、特に、アクリル酸エステル及び／又はメタクリル酸エステルを主成分とする樹脂を含んでなるものが好ましい。特に好ましくは、アクリル酸エステル及び／又はメタクリル酸エステルとスチレンを主成分とする樹脂を含んでなるものである。
【００４０】
ポリマー微粒子としては、単粒子構造を有するものだけでなく、コア部とそれを囲むシェル部とからなるコアシェル構造を有するものを利用することも可能である。本発明において「コアシェル構造」とは、「組成の異なる２種以上の樹脂が粒子中に相分離して存在する形態」を意味する。従って、シェル部がコア部を完全に被覆している形態のみならず、コア部の一部を被覆しているものであってもよい。また、シェル部を構成する樹脂の一部がコア粒子内にドメイン等を形成しているものであってもよい。さらに、コア部とシェル部との中間に、更にもう一層以上、組成の異なる層を含む三層以上の多層構造を持つものであってもよい。
【００４１】
ポリマー微粒子は、公知の乳化重合によって得ることができる。即ち、不飽和ビニル単量体（不飽和ビニルモノマー）を重合触媒、及び乳化剤を存在させた水中において乳化重合することによって得ることができる。不飽和ビニル単量体としては、一般的に乳化重合で使用されるアクリル酸エステル単量体類、メタクリル酸エステル単量体類、芳香族ビニル単量体類、ビニルエステル単量体類、ビニルシアン化合物単量体類、ハロゲン化単量体類、オレフィン単量体類、ジエン単量体類が挙げられる。さらに、具体例としては、メチルアクリレート、エチルアクリレート、イソプロピルアクリレート、ｎ−ブチルアクリレート、イソブチルアクリレート、ｎ−アミルアクリレート、イソアミルアクリレート、ｎ−ヘキシルアクリレート、２−エチルヘキシルアクリレート、オクチルアクリレート、デシルアクリレート、ドデシルアクリレート、オクタデシルアクリレート、シクロヘキシルアクリレート、シクロヘキシルアクリレート、フェニルアクリレート、ベンジルアクリレート、グリシジルアクリレート等のアクリル酸エステル類；メチルメタクリレート、エチルメタクリレート、イソプロピルメタクリレート、ｎ−ブチルメタクリレート、イソブチルメタクリレート、ｎ−アミルメタクリレート、イソアミルメタクリレート、ｎ−ヘキシルメタクリレート、２−エチルへキシルメタクリレート、オクチルメタクリレート、デシルメタクリレート、ドデシルメタクリレート、オクタデシルメタクリレート、シクロヘキシルメタクリレート、フェニルメタクリレート、ベンジルメタクリレート、グリシジルメタクリレート等のメタクリル酸エステル類；及び酢酸ビニル等のビニルエステル類；アクリロニトリル、メタクリロニトリル等のビニルシアン化合物類；塩化ビニリデン、塩化ビニル等のハロゲン化単量体；スチレン、２−メチルスチレン、ビニルトルエン、ｔ−ブチルスチレン、クロルスチレン、ビニルアニソール、ビニルナフタレン等の芳香族ビニル単量体類；エチレン、プロピレン、イソプロピレン等のオレフィン類；ブタジエン、クロロプレン等のジエン類；ビニルエーテル、ビニルケトン、ビニルピロリドン等のビニル単量体類が挙げられる。カルボキシル基を有さない単量体には、カルボキシル基を有する不飽和ビニル単量体の利用が必須となるが、好ましいその具体例としては、アクリル酸、メタクリル酸、イタコン酸、フマール酸、マレイン酸が挙げられ、メタクリル酸の利用が好ましい。また、使用可能な乳化剤としては、アニオン界面活性剤、ノニオン界面活性剤、及びこれらの混合物が挙げられ、特に、ラウリル硫酸ナトリウムやラウリル硫酸カリウムの他にアニオン界面活性剤、非イオン界面活性剤および両性界面活性剤を用いることができ、前述のインクに添加することができる界面活性剤類を用いることができる。
【００４２】
また、コアシェル構造のポリマー微粒子は、公知の手法により、一般的には多段階の乳化重合等によって製造される。例えば、特開平４−７６００４号公報で開示されている方法によって製造することができる。重合に用いられる不飽和ビニル単量体の具体例としては、上記したものが同様に挙げられる。また、ポリマー微粒子は、その樹脂構造中にスルホン酸基及び／又はその塩に由来するものが好ましく用いられる。このようなポリマー微粒子は、スルホン酸基及び／又はその塩に由来する構造と、重合可能な二重結合を二つ以上有する架橋性単量体（モノマー）とによって架橋された構造を有してなるものが好ましい。スルホン酸基及び／又はその塩に由来する構造は、スルホン酸基を有するモノマーを共重合成分として用いることによって導入することが可能である。スルホン酸基を有するモノマーの具体例としては、ビニルスルホン酸及びその塩、スチレンスルホン酸及びその塩、２−（メタ）アクリロイルアミノ−２−メチルプロパンスルホン酸及びその塩、スルホン化イソプレン等が挙げられる。
【００４３】
また、乳化重合の際に使用される重合開始剤、界面活性剤、分子量調整剤、さらに中和剤等も常法に準じて使用してよい。重合開始剤は、過硫酸カリウムや過硫酸アンモニウム等の水溶性の重合開始剤を用いることができる。分子量調整剤（連鎖移動剤）としては、ｔ−ドデシルメルカプタンの他に、ｎ−ドデシルメルカプタン、ｎ−オクチルメルカプタン、キサントゲン類であるジメチルキサントゲンジスルフィド、ジイソブチルキサントゲンジスルフィド、あるいはジペンテン、インデン、１、４−シクロヘキサジエン、ジヒドロフラン、キサンテンなどを用いることができる。
【００４４】
なお、これらの分散剤による顔料の分散は、着色剤と水と水溶性有機溶媒とをボールミル、サンドミル、アトライター、ロールミル、アジテータミル、ヘンシェルミキサー、コロイドミル、超音波ホモジナイザー、ジェットミル、オングミル等の適当な分散機で行われる。
【００４５】
（界面活性剤）
本インク組成物には、界面活性剤、特にアニオン性界面活性剤および／またはノニオン性界面活性剤を含んでいることが好ましい。アニオン性界面活性剤の具体例としては、アルカンスルホン酸塩、α−オレフィンスルホン酸塩、アルキルベンゼンスルホン酸塩、アルキルナフタリンスルホン酸、アシルメチルタウリン酸、ジアルキルスルホ琥珀酸等のスルホン酸型、アルキル硫酸エステル塩、硫酸化油、硫酸化オレフィン、ポリオキシエチレンアルキルエーテル硫酸エステル塩；脂肪酸塩、アルキルザルコシン塩などのカルボン酸型；アルキルリン酸エステル塩、ポリオキシエチレンアルキルエーテルリン酸エステル塩、モノグリセライトリン酸エステル塩などのリン酸型エステル型；等が挙げられる。また、ノニオン性界面活性剤の具体例としては、ポリオキシエチレンアルキルエーテル、ポリオキシエチレンアルキルフェニルエーテル、ポリオキシエチレンアルキルエステル、ポリオキシエチレンアルキルアミドなどのエチレンオキシド付加型；グリセリンアルキルエステル、ソルビタンアルキルエステル、シュガーアルキルエステルなどのポリオールエステル型；多価アルコールアルキルエーテルなどのポリエーテル型；アルカノールアミン脂肪酸アミドなどのアルカノールアミド型が挙げられる。
【００４６】
本インク組成物は、アセチレングリコール系界面活性剤と、アセチレンアルコール系界面活性剤からなる群から選択される少なくとも一種の界面活性剤を含有するのが好ましく、これにより、普通紙やインクジェット記録用紙やインクジェット記録用シート等の記録媒体に印刷した際に、インクの水性媒体が記録媒体内部へ浸透しやすくなるため、水性媒体と本発明のマイクロカプセル化顔料との分離が短時間に起こり、記録媒体上で本発明のマイクロカプセル化顔料が水性媒体とともに広がっていくことがなく滲みや印字斑が低減されるので、良好な印字品質が得られる。アセチレングリコール系界面活性剤と、アセチレンアルコール系界面活性剤を用いるときには、特に上記したグリコールエーテル類と併用することがましい。例えば、下記一般式（２）で表わされるアセチレングリコール系化合物を使用することができる。
【００４７】
【化３】
2006257184.tif 000004
【００４８】
上記式（２）において、ｍ及びｎは、それぞれ０≦ｍ＋ｎ≦５０を満たす数である。また、Ｒ1、Ｒ2、Ｒ3及びＲ4は、それぞれ独立してアルキル基（好ましくは炭素数６以下のアルキル基）である。上記式（２）で表される化合物の中でも、特に好ましくは、２，４，７，９−テトラメチル−５−デシン−４，７−ジオール、３，６−ジメチル−４−オクチン−３，６−ジオール、３，５−ジメチル−１−ヘキシン−３−オールなどが挙げられる。上記式（２）で表される化合物は、アセチレングリコール系界面活性剤として市販されている市販品を利用することも可能であり、その具体例としては、サーフィノール１０４、サーフィノール１０４ＰＧ−５０、８２、４４０、４６５、４８５またはＳＴＧ（いずれもＡｉｒ  Ｐｒｏｄｕｃｔｓ  ａｎｄ  Ｃｈｅｍｉｃａｌｓ．  Ｉｎｃ．より入手可能）、オルフィンＳＴＧ、オルフィンＥ１０１０（以上、日信化学社製  商品名）が挙げられる。
【００４９】
アセチレンアルコール系界面活性剤も使用でき、具体例としては、オルフィンＰ、オルフィンＢ（日信化学製）、サーフィノール６１（エアプロダクツ製）を挙げることができる。アセチレンアルコール系界面活性剤を使用する際に、溶解助剤を使用することもできる。溶解助剤としては、好ましくは、ジメチル−２−イミダゾリジノン、２−ピロリドン、Ｎ−メチル−２−ピロリドンが挙げられる。なお、ポリシロキサン系界面活性剤も使用でき、その好ましい具体例としては、ＢＹＫ−３０１，３０２，３０７，３２５，３３１，３４１，３４５，３４６，３４７，３４８，３７５（ビックケミー社製）が挙げられる。
【００５０】
これらの界面活性剤の含有量は、本インク組成物全量に対して、好ましくは０．０１％〜１０％の範囲であり、より好ましくは０．１％〜５％であり、さらに好ましくは０．１％〜２％である。
【００５１】
また、本インク組成物には、記録媒体への浸透性を制御するため、他の界面活性剤を添加することも可能である。添加する界面活性剤は、本発明のインクと相溶性のよい界面活性剤が好ましく、界面活性剤のなかでも浸透性が高く安定なものがよい。その例としては、両性界面活性剤、非イオン界面活性剤などがあげられる。両性界面活性剤としてはラウリルジメチルアミノ酢酸ベタイン、２−アルキル−Ｎ−カルボキシメチル−Ｎ−ヒドロキシエチルイミダゾリニウムベタイン、ヤシ油脂肪酸アミドプロピルジメチルアミノ酢酸ベタイン、ポリオクチルポリアミノエチルグリシンその他イミダゾリン誘導体などがある。
非イオン界面活性剤としては、ポリオキシエチレンノニルフェニルエーテル、ポリオキシエチレンオクチルフェニルエーテル、ポリオキシエチレンドデシルフェニルエーテル、ポリオキシエチレンアルキルアリルエーテル、ポリオキシエチレンオレイルエーテル、ポリオキシエチレンラウリルエーテル、ポリオキシエチレンアルキルエーテル、ポリオキシアルキレンアルキルエーテルなどのエーテル系、ポリオキシエチレンオレイン酸、ポリオキシエチレンオレイン酸エステル、ポリオキシエチレンジステアリン酸エステル、ソルビタンラウレート、ソルビタンモノステアレート、ソルビタンモノオレエート、ソルビタンセスキオレート、ポリオキシエチレンモノオレエート、ポリオキシエチレンステアレートなどのエステル系、その他フッ素アルキルエステル、パーフルオロアルキルカルボン酸塩などの含フッ素系界面活性剤などがある。
【００５２】
また、ｐＨ調整剤、ジエタノールアミン、トリエタノールアミン、プロパノールアミン、モルホリンなどのアミン類およびそれらの変成物、水酸化カリウム、水酸化ナトリウム、水酸化リチウムなどの無機水酸化物、水酸化アンモニウム、４級アンモニウム塩（テトラメチルアンモニウムなど）、炭酸カリウム、炭酸ナトリウム、炭酸リチウムなどの炭酸塩類、その他、燐酸塩などが挙げられる。
【００５３】
その他の添加剤として、尿素、チオ尿素、テトラメチル尿素などの尿素類、アロハネート、メチルアロハネートなどのアロハネート類、ビウレット、ジメチルビウレット、テトラメチルビウレットなどのビウレット類など、Ｌ−アスコルビン酸およびその塩、市販の酸化防止剤、紫外線吸収剤なども用いることができる。
【００５４】
なお、本インク組成物は、表面張力が４５ｍＮ／ｍ以下であることが好ましく、さらに好ましくは、２０〜４５ｍＮ／ｍの範囲である。表面張力が４５ｍＮ／ｍを越えると、印字の乾燥性が悪くなる、滲みが発生しやすくなる、カラーブリードが発生する等のため良好な印刷画像が得られにくい。また、表面張力が２０ｍＮ／ｍ未満では、プリンタヘッドのノズル周囲が濡れやすくなるためにインク滴の飛行曲がりが発生する等、吐出安定性に問題が生じ易い。上記表面張力は、通常に用いられる表面張力計によって測定できる。インクの表面張力は、インクを構成する各成分の種類や組成比などを調整することにより上記範囲内とすることができる。
【００５５】
以上のことから、本インク組成物は、インクジェット記録方式による記録装置に好ましく用いることができる。インクジェット記録用インク組成物として用いたとき、プリンタヘッドのノズルにおける目詰まり信頼性を向上させることができ、良好な吐出安定性を維持することができる。また、ヘッドのメンテナンス作業を省略することができる。
【００５６】
本発明のインクジェット記録方法は、インクの液滴を吐出して、該液滴を記録媒体に付着させて印刷を行う記録方法であって、本発明のインク組成物を用いることを特徴としている。ここで、記録方法は、本発明のインクジェット記録用インクが収容されたインクカートリッジ（複数のインクジェット記録用インクを具備するインクセットの形態の場合においては、各インクジェット記録用インクが個別に収容されたインクカートリッジ）を公知のインクジェット記録装置に搭載させて、記録媒体に対して印刷することにより、好適に行うことができる。ここで、インクジェット記録装置としては、電気信号に基づいて振動可能な電歪素子が搭載されるとともに、前記電歪素子の振動によって、本発明に係るインクジェット記録用インクを、又は、本発明に係るインクセットが具備するインクを吐出できるように構成されたインクジェット記録装置を好ましく挙げることができる。
【００５７】
そして、本インク組成物及び記録方法によれば、吐出安定性に優れる結果、高品位の画像を得ることができる。同時に、インクジェット記録装置におけるプリンタヘッドのノズル部位のメンテナンスを簡易化できる。また、本発明の記録物は、高品位な画像を備えるものとなっている。
【００５８】
以下、本発明の実施例について具体的に説明する。なお、これらの実施例は本発明を説明するためのものであって本発明を限定するものではない。
【００５９】
＜実施例＞
（１）分散液Ｍの調製
［分散樹脂の合成］
攪拌機、温度計、還流管及び滴下ロートを備えた反応容器を窒素置換した後、スチレン２５ｇ、ｎ−ドデシルメタクリレート３０ｇ、メトキシポリエチレングリコールメタクリレート２０ｇ、ブチルメタクリレート１６ｇ、メタクリル酸９．５ｇをメチルエチルケトン１００ｇに溶解して、窒素ガス置換を行った。滴下ロートにも同様のモノマー／メチルエチルケトン溶液を入れ、さらに２，２’−アゾビス（２，４−イソメチルバレロニトリル）０．２ｇを加えて窒素ガス置換を行った。窒素雰囲気下、６５℃に加温して滴下ロートの溶液を３時間かけて加えながら重合反応を行った。得られた共重合体溶液を減圧乾燥とメチルエチルケトン溶解、濾過を繰り返して精製した後、樹脂の固形分が５０重量％になるようにメチルエチルケトンを加えて希釈した。酸価が約７０ＫＯＨｍｇ／ｇ、平均分子量５０，０００の樹脂溶液Ａを得た。
【００６０】
［分散液の調製］
顔料として有機顔料のＣ．Ｉ．Ｐｉｇｍｅｎｔ  Ｒｅｄ１２２を２００ｇ、上述の樹脂溶液Ａ１００ｇを混合・撹拌してスラリーを作製した。このスラリーに１０％水酸化カリウム水溶液３８ｇを加え、超高圧ホモジナイザーにて分散を行った。続いてこの分散溶液を撹拌している純水４００ｇに徐々に加え、さらに減圧下、６０℃にてメチルエチルケトンの全部と水の一部を除去して、さらに顔料濃度が１５％になるように超純水を加え、分散液Ｍを得た。
【００６１】
（２）分散液Ｙの調製
分散液Ｍに対して、顔料を有機顔料のＣ．Ｉ．ＰｉｇｍｅｎｔＹｅｌｌｏｗ  ７４を１５０ｇとし、１０％水酸化カリウム水溶液の添加量を３９ｇに替える以外は同様な方法で分散液を作製した。これを分散液Ｙとした。
【００６２】
（３）分散液Ｃの調製
分散液Ｍに対して、顔料を有機顔料のＣ．Ｉ．ＰｉｇｍｅｎｔＢｌｕｅ  １５：４を５０ｇとし、１０％水酸化カリウム水溶液の添加量を４０ｇに代える以外は同様な方法で分散液を作製した。これを分散液Ｃとした。
【００６３】
（４）分散液Ｋの調製
黒色インクの分散液の調製を、国際公開ＷＯ０１／９４４７６号パンフレットの実施例２に記載の方法に準じて行った。ＦＷ−１８カーボンブラック（デグサ社製）を黒色顔料として用いた。オゾンをオゾン発生器（ＰＣＩオゾン社製）によって発生させ、Ｍ−１１０ＥＨ型マイクロフルイダイザー（ＭＦＩＣ社製）を用いて、着色剤にオゾン酸化と同時に高せん断力をかけた。得られた自己分散型顔料の分散液は、ペリコンラボラトリシステム（ミリポア社製）による限外濾過により精製された。最終的に、顔料濃度が１５％の分散液を得た。これを分散液Ｋとした。分散液中の顔料粒子の平均粒子径は、９８ｎｍであった（ＵＰＡ１５０粒子分析装置、ハネウエルマイクロトラック（商標）製）。
【００６４】
（アラビナミンの調整）
アラビノース（シグマアルドリッチジャパン、カタログ番号１４、１１２−７）４５ｇをアンモニア水（２９％、シグマアルドリッチジャパン、カタログ番号２２、１２２−８）８０ｇに溶かした。７日間後、攪拌しながら、水素化ホウ素ナトリウム（シグマアルドリッチジャパン、カタログ番号２１、３４６−２）５ｇを徐々に水溶液に添加した。２日間後、ロータリーエバポレーターを用いて、アンモニア水溶液を蒸発させた。できた固形物をエタノールから再結晶を行った。濾過で生成物を採取して、イソプロパノールにより洗浄を行った。真空乾燥により、白い、流動性が良いアラビナミン３４ｇができた。
【００６５】
（リバミンの調整）
アラビナミンに対して、アラビノースをリボース（シグマアルドリッチジャパン、カタログ番号Ｒ１７５−７）に代える以外は同様な方法でリバミンを作製した。
【００６６】
（水性インクの調製）
上述の材料・方法で得た分散液Ｍを３７．４ｇ、アセチレングリコールとしてサーフィノール１０４ＰＧ‐５０を０．４ｇおよびサーフィノール４６５（以上２種共に商品名、Ａｉｒ  Ｐｒｏｄｕｃｔｓ  ａｎｄ  Ｃｈｅｍｉｃａｌｓ．  Ｉｎｃ．社製）を０．１ｇ、トリメチロールプロパンを１ｇ、アラビナミンを０．１ｇ、有機溶剤としてグリセリンを１４ｇ、２−ピロリドンを４ｇ、トリエチレングリコールを２ｇ、トリエチレングリコールモノブチルエーテルを１ｇ、１，２−ヘキサンジオールを２．５ｇ、さらに超純水を加えて全量を１００ｇとして２時間攪拌、孔径約１．２μｍのメンブランフィルタ（商品名、日本ミリポア・リミテッド製）にて濾過して実施例１の水性インク組成物を調製した。なお、実施例１〜１１の組成を図１にまとめて示す。
【００６７】
＜実施例２〜１１＞
実施例１に対して、図１の組成に変更する以外は同様の方法で、実施例２〜１１の水性インク組成物を調製した。
【００６８】
（比較例１〜１５）
実施例１に対して、図２の組成に変更する以外は同様の方法で、比較例１〜１５の水性インク組成物を調製した。比較例１〜１５の組成を図２にまとめて示す。
【００６９】
（インク組成物の評価）
（吐出安定性及び専用紙印字の光沢性）
実施例１〜１１および比較例１〜１５の水性インク組成物をインクジェットプリンタであるＰＸ−Ｖ７００（商品名、セイコーエプソン株式会社製）に搭載した。２５℃／４０％ＲＨの環境下で文字・塗りつぶしが混在する画像を、用紙(Ｘｅｒｏｘ４０２４)に連続的に印刷して、１００枚毎、印刷中の画像に飛行曲がりや抜け等の不具合の有無を目視にて評価を行った。１０００枚の印刷した結果において、すべてのインク組成物について、飛行曲がりや、ノズルの目詰まり、光沢性の低下が認められなかった。これらの結果から、すべてのインク組成物が十分な吐出安定性及び専用紙印字光沢性を有していることがわかった。
【００７０】
（保存安定性）
実施例１〜１１および比較例１〜１５の水性インク組成物を６０℃で２週間放置並びに１ヶ月放置及び凍結状態で１週間放置して、インク調製直後の粘度と放置後の値を比較した。判定基準は以下の通りである。
判定  Ａ：変動幅が±６％未満
Ｂ：変動幅が±６％以上、±１０％未満
Ｃ：変動幅が±１０％以上
なお、粘度測定装置としてＤｉｇｉｔａｌ  Ｖｉｓｃｏｍａｔｅ  ＶＭ-１００Ａ（山一電機株式会社製）を用い、２０℃で粘度測定を行った。
すべてのインク組成物について、Ａレベルの保存安定性が得られた。これらの結果から、すべてのインク組成物が十分な保存安定性を有していることがわかった。
【００７１】
（目詰まり信頼性）
実施例１〜１１および比較例１〜１５の水性インク組成物を用い、以下のように、目詰まり信頼性評価を行った。まず、すべてのインクを脱気して、ヒートシール可能なアルミニウム製パッケージに入れシールした。次いで、各インク組成物について、インクジェットプリンタであるスタイラスＣ８０プリンタ（商品名、セイコーエプソン株式会社製）に取り付けた。すべのノズルを用いるラインパターンをまず印刷して、そのインク組成物がすべてのノズルから良好な方向性で吐出されるようにした。次いで、そのインクカートリッジをプリンタヘッドから外し、さらに、プリンタヘッドもプリンタから外した。
キャップしていない状態のプリンタヘッドを４０℃の恒温装置内で４日間放置した。その後、プリンタヘッドをプリンタに装着し、さらに、インクカートリッジをそのプリンタヘッドに装着した。そして、すべてのノズルを用いたラインパターンの印刷後、クリーニング動作を実行した。クリーニング後のラインパターン印刷を、すべてのノズルで良好な方向性で印刷できるまで繰り返した。判定基準は以下の通りとした。
判定基準
Ａ：クリーニング動作せずに、印字信号をプリンタに送信すると同時に、正常な印字ができる。
Ｂ：クリーニング動作２回以内で、正常な印字ができる。
Ｃ：クリーニング動作４回以内で、正常な印字ができる。
Ｄ：クリーニング動作６回以内で、正常な印字ができる。
Ｆ：クリーニング動作７回以上繰り返しても、正常な印字ができない。
（評価がＡ及びＢであるとき、目詰まり信頼性を有しているといえる。）実施例および比較例の評価結果を図３にまとめて示す。
【００７２】
図３に示すように、実施例１〜１１についての評価はＡ及びＢであり、十分な目詰まり信頼性を有していた。特に、トリアルカノールアルカンと五炭糖の還元アミノ化合物との総量に対する五炭糖の還元アミノ化合物の量が２．５％以上４０％以下の広い範囲で高い信頼性を有しており、また、これらの総量がインク組成物全量に対して０．７％以上２．０５％以下の範囲において優れていることがわかった。以上のように、トリアルカノールアルカンと五炭糖の還元アミノ化合物との組み合わせにより極めて良好な目詰まり信頼性を確保することができた。
【図面の簡単な説明】
【００７３】
【図１】実施例のインク組成物１〜１１の組成を示す図である。
【図２】比較例のインク組成物１〜１５の組成を示す図である。
【図３】実施例及び比較例のインク組成物の目詰まり信頼性の結果を示す図である。
【図１】
2006257184.tif 000007
【図２】
2006257184.tif 000008
【図３】
2006257184.tif 000009